(57)【特許請求の範囲】
【請求項１】
それぞれ電源プラグを差し込み可能であり、差し込まれた前記電源プラグを別のタイプの電源プラグにそれぞれ変換する第１アダプタ及び第２アダプタを有し、
前記第１アダプタは、
前記電源プラグを差し込み可能な第１ソケットと、
前記第１ソケットと電気的に接続された第１プラグと、
前記第１ソケット及び前記第１プラグが設けられた第１ケースと、
前記第１ケースに折り畳み自在に設けられた少なくとも１つのアース差込口用ピンとを含み、
前記第２アダプタは、
前記電源プラグを差し込み可能な第２ソケットと、
前記第２ソケットと電気的に接続された第２プラグと、
前記第２ソケット及び前記第２プラグが設けられた第２ケースとを含み、
前記第１ケースは、前記第２ケースに着脱可能であり、
前記アース差込口用ピンは、前記第１ケースを前記第２ケースに装着した場合、前記第２プラグに付随するピンとしてコンセントのアース差込口に挿入可能であり、
前記第１ソケットは、前記電源プラグが持つ２つの電源ピンと導通する２つの第１コンタクトを含み、
前記第１プラグは、前記２つの第１コンタクトと導通する２つの第１ピンを含み、
前記第１ケースは、
折り畳まれた状態の前記アース差込口用ピンを収容するピン収容溝と、
前記アース差込口用ピンの長手方向の端部において前記アース差込口用ピンを回転可能に支持する支持部と、
弾性部材と、
前記２つの第１コンタクトを収容する２つのコンタクト収容室と、
前記２つの電源ピンを前記２つのコンタクト収容室に挿入するための２つの電源ピン挿入孔とを含み、
前記アース差込口用ピンは、前記支持部に支持された側の端部において、前記支持部の回転軸に平行な方向から見て前記回転軸を中心とする円弧状に湾曲したピン側曲面を持ち、
前記ピン側曲面には、第１凹部及び第２凹部が設けられており、
前記弾性部材は、前記ピン側曲面を弾性力により押圧し、前記アース差込口用ピンが前記ピン収容溝に収容された収容状態において前記第１凹部と係合し、前記アース差込口用ピンが前記ピン収容溝から突出した突出状態において前記第２凹部と係合し、
前記弾性部材は、前記第１ケースに一方の端部が固定され、前記一方の端部から離れた他方の端部が前記第１ケースに対して変位可能な弾性変形部を含み、
前記弾性変形部は、前記一方の端部と前記他方の端部との間において前記回転軸に向かって突き出たケース側曲面を持ち、
前記ケース側曲面は、前記収容状態において前記第１凹部と係合し、前記突出状態において前記第２凹部と係合し、
前記弾性部材は、２つのスリットを持つ板部材を含み、
前記２つのスリットは、前記板部材における前記他方の端部の縁から前記一方の端部に向かって延びており、
前記弾性変形部は、前記板部材において前記２つのスリットに挟まれた部分に形成され、
前記弾性変形部は、前記ピン側曲面と対向する平面上に凸部を持ち、
前記弾性変形部の前記凸部の表面が、前記ケース側曲面として前記ピン側曲面と接触し、
前記アース差込口用ピンの長手方向は、前記収容状態において、前記回転軸に垂直な第１方向と平行になり、前記突出状態において、前記回転軸及び前記第１方向に垂直な第２方向と平行になり、
前記板部材の平面は、前記回転軸に対して平行であり、前記回転軸に平行な方向から見て、前記第１方向及び前記第２方向に対してそれぞれ４５度傾いており、
前記弾性変形部の前記凸部は、前記回転軸に平行な方向から見て、前記板部材の平面に垂直な法線であって、前記回転軸を通る前記法線と交わる位置に設けられている、
電源プラグ変換アダプタ。
【請求項２】
それぞれ電源プラグを差し込み可能であり、差し込まれた前記電源プラグを別のタイプの電源プラグにそれぞれ変換する第１アダプタ及び第２アダプタを有し、
前記第１アダプタは、
前記電源プラグを差し込み可能な第１ソケットと、
前記第１ソケットと電気的に接続された第１プラグと、
前記第１ソケット及び前記第１プラグが設けられた第１ケースと、
前記第１ケースに折り畳み自在に設けられた少なくとも１つのアース差込口用ピンとを含み、
前記第２アダプタは、
前記電源プラグを差し込み可能な第２ソケットと、
前記第２ソケットと電気的に接続された第２プラグと、
前記第２ソケット及び前記第２プラグが設けられた第２ケースとを含み、
前記第１ケースは、前記第２ケースに着脱可能であり、
前記アース差込口用ピンは、前記第１ケースを前記第２ケースに装着した場合、前記第２プラグに付随するピンとしてコンセントのアース差込口に挿入可能であり、
前記第１ソケットは、前記電源プラグが持つ２つの電源ピンと導通する２つの第１コンタクトを含み、
前記第１プラグは、前記２つの第１コンタクトと導通する２つの第１ピンを含み、
前記第１ケースは、
折り畳まれた状態の前記アース差込口用ピンを収容するピン収容溝と、
前記アース差込口用ピンの長手方向の端部において前記アース差込口用ピンを回転可能に支持する支持部と、
弾性部材と、
前記２つの第１コンタクトを収容する２つのコンタクト収容室と、
前記２つの電源ピンを前記２つのコンタクト収容室に挿入するための２つの電源ピン挿入孔とを含み、
前記アース差込口用ピンは、前記支持部に支持された側の端部において、前記支持部の回転軸に平行な方向から見て前記回転軸を中心とする円弧状に湾曲したピン側曲面を持ち、
前記ピン側曲面には、第１凹部及び第２凹部が設けられており、
前記弾性部材は、前記ピン側曲面を弾性力により押圧し、前記アース差込口用ピンが前記ピン収容溝に収容された収容状態において前記第１凹部と係合し、前記アース差込口用ピンが前記ピン収容溝から突出した突出状態において前記第２凹部と係合し、
前記弾性部材は、前記第１ケースに一方の端部が固定され、前記一方の端部から離れた他方の端部が前記第１ケースに対して変位可能な弾性変形部を含み、
前記弾性変形部は、前記一方の端部と前記他方の端部との間において前記回転軸に向かって突き出たケース側曲面を持ち、
前記ケース側曲面は、前記収容状態において前記第１凹部と係合し、前記突出状態において前記第２凹部と係合し、
前記弾性部材は、２つのスリットを持つ板部材を含み、
前記２つのスリットは、前記板部材における前記他方の端部の縁から前記一方の端部に向かって延びており、
前記弾性変形部は、前記板部材において前記２つのスリットに挟まれた部分に形成され、
前記弾性変形部は、前記ピン側曲面と対向する平面上に凸部を持ち、
前記弾性変形部の前記凸部の表面が、前記ケース側曲面として前記ピン側曲面と接触し、
前記アース差込口用ピンの長手方向は、前記収容状態において、前記回転軸に垂直な第１方向と平行になり、前記突出状態において、前記回転軸及び前記第１方向に垂直な第２方向と平行になり、
前記板部材の平面は、前記回転軸に対して平行であり、
前記ピン収容溝と前記コンタクト収容室とは、前記第２方向において隣接しており、
前記電源ピン挿入孔と前記第１コンタクトとは、前記第１方向において離間しており、
前記板部材の平面は、前記回転軸に平行な方向から見て、前記第１方向における前記電源ピン挿入孔との距離が近くなるほど前記第２方向における前記電源ピン挿入孔との距離が離れている、
電源プラグ変換アダプタ。
【請求項３】
前記板部材の平面は、前記回転軸に対して平行であり、前記回転軸に平行な方向から見て、前記第１方向及び前記第２方向に対してそれぞれ４５度傾いており、
前記弾性変形部の前記凸部は、前記回転軸に平行な方向から見て、前記板部材の平面に垂直な法線であって、前記回転軸を通る前記法線と交わる位置に設けられている、
請求項２に記載の電源プラグ変換アダプタ。
【請求項４】
前記板部材の前記２つのスリットは、前記回転軸に垂直な仮想平面に対してそれぞれ平行であり、
前記弾性変形部における前記一方の端部が前記他方の端部に比べて、前記第１方向における前記電源ピン挿入孔との距離が近い、
請求項２又は３に記載の電源プラグ変換アダプタ。
【請求項５】
前記２つの第１コンタクトの各々は、前記電源ピン挿入孔から挿入された前記電源ピンを前記回転軸に平行な方向において挟み込む２つの導体板を含み、
前記仮想平面は、前記２つのスリットの間に位置し、
前記２つの導体板は、前記仮想平面に関して互いに対称な形状を持ち、
前記２つのスリットは、前記仮想平面に関して対称に位置する、
請求項４に記載の電源プラグ変換アダプタ。
【請求項６】
それぞれ電源プラグを差し込み可能であり、差し込まれた前記電源プラグを別のタイプの電源プラグにそれぞれ変換する第１アダプタ及び第２アダプタを有し、
前記第１アダプタは、
前記電源プラグを差し込み可能な第１ソケットと、
前記第１ソケットと電気的に接続された第１プラグと、
前記第１ソケット及び前記第１プラグが設けられた第１ケースと、
前記第１ケースに折り畳み自在に設けられた少なくとも１つのアース差込口用ピンとを含み、
前記第２アダプタは、
前記電源プラグを差し込み可能な第２ソケットと、
前記第２ソケットと電気的に接続された第２プラグと、
前記第２ソケット及び前記第２プラグが設けられた第２ケースとを含み、
前記第１ケースは、前記第２ケースに着脱可能であり、
前記アース差込口用ピンは、前記第１ケースを前記第２ケースに装着した場合、前記第２プラグに付随するピンとしてコンセントのアース差込口に挿入可能であり、
前記第１ソケットは、前記電源プラグが持つ２つの電源ピンと導通する２つの第１コンタクトを含み、
前記第１プラグは、前記２つの第１コンタクトと導通する２つの第１ピンを含み、
前記第１ケースは、
折り畳まれた状態の前記アース差込口用ピンを収容するピン収容溝と、
前記アース差込口用ピンの長手方向の端部において前記アース差込口用ピンを回転可能に支持する支持部と、
弾性部材と、
前記２つの第１コンタクトを収容する２つのコンタクト収容室と、
前記２つの電源ピンを前記２つのコンタクト収容室に挿入するための２つの電源ピン挿入孔とを含み、
前記アース差込口用ピンは、前記支持部に支持された側の端部において、前記支持部の回転軸に平行な方向から見て前記回転軸を中心とする円弧状に湾曲したピン側曲面を持ち、
前記ピン側曲面には、第１凹部及び第２凹部が設けられており、
前記弾性部材は、前記ピン側曲面を弾性力により押圧し、前記アース差込口用ピンが前記ピン収容溝に収容された収容状態において前記第１凹部と係合し、前記アース差込口用ピンが前記ピン収容溝から突出した突出状態において前記第２凹部と係合し、
前記弾性部材は、前記第１ケースに一方の端部が固定され、前記一方の端部から離れた他方の端部が前記第１ケースに対して変位可能な弾性変形部を含み、
前記弾性変形部は、前記一方の端部と前記他方の端部との間において前記回転軸に向かって突き出たケース側曲面を持ち、
前記ケース側曲面は、前記収容状態において前記第１凹部と係合し、前記突出状態において前記第２凹部と係合し、
前記弾性変形部は、前記一方の端部から前記他方の端部に向かって前記回転軸と平行に伸びており、
前記ケース側曲面は、前記回転軸に平行な方向から見て円弧状に湾曲した曲面であり、
前記第１ケースは、前記回転軸から離れる方向へ変位した前記弾性変形部の前記他方の端部と当接することにより当該変位を規制する規制部材を含む、
電源プラグ変換アダプタ。
【請求項７】
前記弾性部材は、前記弾性変形部に対して前記コンタクト収容室側に位置し、前記回転軸と平行に伸びた壁部を有し
前記壁部は、前記第１ケースにおいて前記ピン収容溝と前記コンタクト収容室とを仕切る壁の一部を形成し、
前記壁部の長手方向の一端が前記第１ケースに固定され、
前記壁部の長手方向の他端が前記規制部材と当接可能であり、
前記規制部材は、前記弾性変形部に近づく方向へ変位した前記壁部の長手方向の他端と当接することにより当該変位を規制する、
請求項６に記載の電源プラグ変換アダプタ。
【請求項８】
前記アース差込口用ピンの長手方向は、前記収容状態において、前記回転軸に垂直な第１方向と平行になり、前記突出状態において、前記回転軸及び前記第１方向に垂直な第２方向と平行になり、
前記弾性変形部の前記ケース側曲面は、前記回転軸に対して前記第２方向に離れた場所で前記ピン側曲面と接触する、
請求項６又は７に記載の電源プラグ変換アダプタ。
【請求項９】
前記弾性部材は、前記第１ケースにおいて前記ピン収容溝と前記コンタクト収容室とを仕切る壁の一部を形成する、
請求項１〜８のいずれか一項に記載の電源プラグ変換アダプタ。
【発明の詳細な説明】
【技術分野】
【０００１】
本発明は、所定のタイプの電源プラグを別のタイプの電源プラグに変換するために用いられる電源プラグ変換アダプタに関するものである。
【背景技術】
【０００２】
世界には様々なタイプのＡＣ電源コンセントが存在しているため、国内の電化製品を海外で使用する場合には、その国のＡＣ電源コンセントと適合するように電源プラグを変換するアダプタが必要となる。下記の特許文献１には、海外の様々な規格のＡＣ電源コンセント（ＢＦ，Ｂ３，Ｂ，Ｃ，ＳＥ，Ｏ）と適合するように電極ピンの形状や配置，数などを変換できるアダプタが記載されている。
【先行技術文献】
【特許文献】
【０００３】
【特許文献１】特許第３９４６４９１号公報明細書
【発明の概要】
【発明が解決しようとする課題】
【０００４】
上記特許文献１に記載される海外コンセント用アダプタは、２つのアダプタ（第一アダプタ（１）、第二アダプタ（２））を有する。第一アダプタ（１）及び第二アダプタ（２）は、それぞれ単体で使用可能であるとともに、互いに結合した状態で使用可能である。第二アダプタ（２）の側面部には、ＢＦタイプ用のアース差込口用ピン（Ｂ）とＢ３タイプ用のアース差込口用ピン（Ｃ）がそれぞれ折り畳み自在に設けられている。アース差込口用ピン（Ｂ、Ｃ）を折り畳んだ状態にすると、第二アダプタ（２）の側面部に設けられた溝の中にアース差込口用ピン（Ｂ、Ｃ）が収容される。アース差込口用ピン（Ｂ、Ｃ）の後端部は、溝の中に位置する回転軸において回転可能に支持されている。回転軸を中心にアース差込口用ピン（Ｂ、Ｃ）を回転させることで、アース差込口用ピン（Ｂ、Ｃ）が溝に収容された状態（収容状態）になったり、アース差込口用ピン（Ｂ、Ｃ）の先端部が溝から垂直に突出した状態（突出状態）になったりする。海外コンセント用アダプタをＢＦタイプやＢ３タイプのＡＣ電源コンセントに使用する場合、第二アダプタ（２）を第一アダプタ（１）に結合するとともに、第二アダプタ（２）のアース差込口用ピン（Ｂ、Ｃ）を突出状態にする。
【０００５】
アース差込口用ピン（Ｂ、Ｃ）は、第二アダプタ（２）の溝に収容された収容状態で係止されるとともに、溝から先端部が垂直に突出した突出状態で係止される。このアース差込口用ピン（Ｂ、Ｃ）の係止は、例えば、アース差込口用ピン（Ｂ、Ｃ）を収容する溝の開口部の縁に突起部を設けることによって実現することができる。この突起部は、溝の開口部を狭める方向に突き出ており、収容状態のアース差込口用ピン（Ｂ、Ｃ）を突出状態へ回転させようとするときや、突出状態のアース差込口用ピン（Ｂ、Ｃ）を収容状態へ回転させようとするときに、アース差込口用ピン（Ｂ、Ｃ）と当接する。突起部がアース差込口用ピン（Ｂ、Ｃ）と当接することにより、アース差込口用ピン（Ｂ、Ｃ）の回転が抑制されて、アース差込口用ピン（Ｂ、Ｃ）が係止される。アース差込口用ピン（Ｂ、Ｃ）をある程度の力で回転させると、溝の開口部が弾性的に変形して、開口部が広がる。これにより、アース差込口用ピン（Ｂ、Ｃ）の回転が可能となり、アース差込口用ピン（Ｂ、Ｃ）の係止が解除される。
【０００６】
上記のように、溝の開口部に突起部を設けることによってアース差込口用ピン（Ｂ、Ｃ）を係止する場合、構造が比較的単純になる一方で、収容状態や突出状態におけるアース差込口用ピン（Ｂ、Ｃ）のガタツキが大きくなるという不利益がある。また、溝の開口部が弾性的に変形し難い場合、係止を解除するのに大きな力が必要になるという不利益や、摩擦による突起部及びアース差込口用ピン（Ｂ、Ｃ）の摩滅が生じやすいという不利益がある。
【０００７】
本発明はかかる事情に鑑みてなされたものであり、その目的は、アース差込口用ピンの収容状態や突出状態におけるガタツキを抑制できる電源プラグ変換アダプタを提供することにある。
【課題を解決するための手段】
【０００８】
本発明の一態様の電源プラグ変換アダプタは、それぞれ電源プラグを差し込み可能であり、差し込まれた前記電源プラグを別のタイプの電源プラグにそれぞれ変換する第１アダプタ及び第２アダプタを有し、前記第１アダプタは、前記電源プラグを差し込み可能な第１ソケットと、前記第１ソケットと電気的に接続された第１プラグと、前記第１ソケット及び前記第１プラグが設けられた第１ケースと、前記第１ケースに折り畳み自在に設けられた少なくとも１つのアース差込口用ピンとを含み、前記第２アダプタは、前記電源プラグを差し込み可能な第２ソケットと、前記第２ソケットと電気的に接続された第２プラグと、前記第２ソケット及び前記第２プラグが設けられた第２ケースとを含み、前記第１ケースは、前記第２ケースに着脱可能であり、前記アース差込口用ピンは、前記第１ケースを前記第２ケースに装着した場合、前記第２プラグに付随するピンとしてコンセントのアース差込口に挿入可能であり、前記第１ソケットは、前記電源プラグが持つ２つの電源ピンと導通する２つの第１コンタクトを含み、前記第１プラグは、前記２つの第１コンタクトと導通する２つの第１ピンを含み、前記第１ケースは、折り畳まれた状態の前記アース差込口用ピンを収容するピン収容溝と、前記アース差込口用ピンの長手方向の端部において前記アース差込口用ピンを回転可能に支持する支持部と、弾性部材と、前記２つの第１コンタクトを収容する２つのコンタクト収容室と、前記２つの電源ピンを前記２つのコンタクト収容室に挿入するための２つの電源ピン挿入孔とを含み、前記アース差込口用ピンは、前記支持部に支持された側の端部において、前記支持部の回転軸に平行な方向から見て前記回転軸を中心とする円弧状に湾曲したピン側曲面を持ち、前記ピン側曲面には、第１凹部及び第２凹部が設けられており、前記弾性部材は、前記ピン側曲面を弾性力により押圧し、前記アース差込口用ピンが前記ピン収容溝に収容された収容状態において前記第１凹部と係合し、前記アース差込口用ピンが前記ピン収容溝から突出した突出状態において前記第２凹部と係合する。
この構成によれば、前記アース差込口用ピンは、その長手方向の端部において前記第１ケースの前記支持部により回転可能に支持される。前記支持部に支持された側の前記アース差込口用ピンの端部には、前記支持部の回転軸に平行な方向から見て前記回転軸を中心とする円弧状に湾曲した前記ピン側曲面が設けられる。前記ピン側曲面は、前記第１ケースの前記弾性部材により、その弾性力で押圧される。前記アース差込口用ピンが前記ピン収容溝に収容された前記収容状態において、前記ピン側曲面の前記第１凹部と前記弾性部材とが係合し、前記アース差込口用ピンが前記ピン収容溝から突出した前記突出状態において、前記ピン側前記第２凹部と前記弾性部材とが係合する。従って、前記収容状態及び前記突出状態の各々において、前記アース差込口用ピンのガタツキが抑制され易くなる。
【０００９】
好適に、前記弾性部材は、前記第１ケースにおいて前記ピン収容溝と前記コンタクト収容室とを仕切る壁の一部を形成する。
この構成によれば、前記第１ケースにおいて前記ピン収容溝と前記コンタクト収容室とを仕切る前記壁の一部が前記弾性部材により形成されるため、前記壁とは独立に前記弾性部材を設ける場合に比べてサイズの小型化を図り易くなる。
【００１０】
好適に、前記弾性部材は、前記第１ケースに一方の端部が固定され、前記一方の端部から離れた他方の端部が前記第１ケースに対して変位可能な弾性変形部を含み、前記弾性変形部は、前記一方の端部と前記他方の端部との間において前記回転軸に向かって突き出たケース側曲面を持ち、前記ケース側曲面は、前記収容状態において前記第１凹部と係合し、前記突出状態において前記第２凹部と係合する。
この構成によれば、前記弾性変形部が前記第１ケースに対して変位可能であるため、前記回転軸に向かって突き出た前記ケース側曲面が前記ピン側曲面に対して変位可能となる。これにより、前記第１凹部及び前記ケース側曲面が係合する前記収容状態と、前記第２凹部及び前記ケース側曲面が係合する前記突出状態とを円滑に切り替えることが可能となる。
【００１１】
好適に、前記弾性部材は、２つのスリットを持つ板部材を含み、前記２つのスリットは、前記板部材における前記他方の端部の縁から前記一方の端部に向かって延びており、前記弾性変形部は、前記板部材において前記２つのスリットに挟まれた部分に形成され、前記弾性変形部は、前記ピン側曲面と対向する平面上に凸部を持ち、前記弾性変形部の前記凸部の表面が、前記ケース側曲面として前記ピン側曲面と接触する。
この構成によれば、前記板部材において前記２つのスリットに挟まれた部分に前記弾性変形部が形成され、前記弾性変形部に設けられた前記凸部の表面が前記ケース側曲面として前記ピン側曲面と接触する。これにより、前記２つのスリットの長さを適切に設定することによって、前記弾性変形部に適切な弾性力を持たせることが可能となる。また、前記ピン収容溝と前記コンタクト収容室とを前記板部材によって有効に仕切ることが可能になる。
【００１２】
好適に、前記弾性変形部が前記板部材に形成される場合、前記アース差込口用ピンの長手方向は、前記収容状態において、前記回転軸に垂直な第１方向と平行になり、前記突出状態において、前記回転軸及び前記第１方向に垂直な第２方向と平行になり、前記板部材の平面は、前記回転軸に対して平行であり、前記回転軸に平行な方向から見て、前記第１方向及び前記第２方向に対してそれぞれ４５度傾いており、前記弾性変形部の前記凸部は、前記回転軸に平行な方向から見て、前記板部材の平面に垂直な法線であって、前記回転軸を通る前記法線と交わる位置に設けられている。
この構成によれば、前記第１方向に対して前記長手方向が平行になる前記収容状態と、前記第２方向に対して前記長手方向が平行になる前記突出状態との間で、前記アース差込口用ピンが９０度回転する。そのため、前記回転軸に平行な方向から見た場合、前記第１凹部と前記第２凹部との間の円弧に対応する円周角が概ね９０度になる。また、この構成によれば、前記板部材の平面が前記第１方向及び前記第２方向に対してそれぞれ４５度傾いているとともに、前記板部材の平面に垂直な前記法線であって、前記回転軸を通る前記法線と交わる位置に前記弾性変形部の前記凸部が設けられている。そのため、前記回転軸に平行な方向から見た前記第１凹部及び前記第２凹部は、前記アース差込口用ピンの前記長手方向に沿った直線に対して線対称に位置する。
【００１３】
好適に、前記弾性変形部が前記板部材に形成される場合、前記アース差込口用ピンの長手方向は、前記収容状態において、前記回転軸に垂直な第１方向と平行になり、前記突出状態において、前記回転軸及び前記第１方向に垂直な第２方向と平行になり、前記板部材の平面は、前記回転軸に対して平行であり、前記ピン収容溝と前記コンタクト収容室とは、前記第２方向において隣接しており、前記電源ピン挿入孔と前記第１コンタクトとは、前記第１方向において離間しており、前記板部材の平面は、前記回転軸に平行な方向から見て、前記第１方向における前記電源ピン挿入孔との距離が近くなるほど前記第２方向における前記電源ピン挿入孔との距離が離れている。
この構成によれば、前記電源ピン挿入孔へ前記電源ピンを挿入する長さが短い場合、前記板部材の平面に前記電源ピンの先端が届き難くなる。
【００１４】
好適に、前記弾性変形部が前記板部材に形成される場合、前記板部材の前記２つのスリットは、前記回転軸に垂直な仮想平面に対してそれぞれ平行であり、前記弾性変形部における前記一方の端部が前記他方の端部に比べて、前記第１方向における前記電源ピン挿入孔との距離が近い。
この構成によれば、前記電源ピン挿入孔へ前記電源ピンを挿入する長さが短い場合、前記弾性変形部における前記一方の端部側に前記電源ピンの先端が届き難くなる。
【００１５】
好適に、前記弾性変形部が前記板部材に形成される場合、前記２つの第１コンタクトの各々は、前記電源ピン挿入孔から挿入された前記電源ピンを前記回転軸に平行な方向において挟み込む２つの導体板を含み、前記２つの導体板は、前記仮想平面に関して互いに対称な形状を持ち、前記２つのスリットは、前記仮想平面に関して対称に位置する。
この構成によれば、前記回転軸に平行な方向において前記２つの導体板により挟み込まれた状態の前記電源ピンの先端が、前記板部材における前記弾性変形部以外の部分に届き難くなる。
【００１６】
好適に、前記弾性変形部は、前記一方の端部から前記他方の端部に向かって前記回転軸と平行に伸びており、前記ケース側曲面は、前記回転軸に平行な方向から見て円弧状に湾曲した曲面である。
この構成によれば、前記弾性変形部が前記回転軸と平行な方向に伸びているため、前記回転軸に平行な方向から見た前記弾性変形部のサイズを小型化し易い。
【００１７】
好適に、前記弾性変形部が前記回転軸と平行に延びている場合、前記第１ケースは、前記回転軸から離れる方向へ変位した前記弾性変形部の前記他方の端部と当接することにより当該変位を規制する規制部材を含む。
この構成によれば、前記他方の端部の前記回転軸から離れる方向への変位が規制されることにより、前記一方の端部と前記他方の端部との間で前記弾性変形部が湾曲するように変形するため、大きな弾性力が得られ易くなる。
【００１８】
好適に、前記弾性変形部が前記回転軸と平行に延びている場合、前記弾性部材は、前記弾性変形部に対して前記コンタクト収容室側に位置し、前記回転軸と平行に伸びた壁部を有し、前記壁部は、前記第１ケースにおいて前記ピン収容溝と前記コンタクト収容室とを仕切る壁の一部を形成し、前記壁部の長手方向の一端が前記第１ケースに固定され、前記壁部の長手方向の他端が前記規制部材と当接可能であり、前記規制部材は、前記弾性変形部に近づく方向へ変位した前記壁部の長手方向の他端と当接することにより当該変位を規制する。
この構成によれば、前記コンタクト収容室側から前記電源ピンなどが前記弾性変形部に直接当たり難くなる。また前記コンタクト収容室側から前記電源ピンなどが前記壁部に当たった場合、前記一端と前記他端との間で前記壁部が湾曲するように変形し、前記電源ピンなどによる押圧力を受け止めるため、当該押圧力が前記弾性変形部に作用することによる前記弾性変形部の変形が抑制される。
【００１９】
好適に、前記弾性変形部が前記回転軸と平行に延びている場合、前記アース差込口用ピンの長手方向は、前記収容状態において、前記回転軸に垂直な第１方向と平行になり、前記突出状態において、前記回転軸及び前記第１方向に垂直な第２方向と平行になり、前記弾性変形部の前記ケース側曲面は、前記回転軸に対して前記第２方向に離れた場所で前記ピン側曲面と接触する。
この構成によれば、前記第１方向に対して前記長手方向が平行になる前記収容状態と、前記第２方向に対して前記長手方向が平行になる前記突出状態との間で、前記アース差込口用ピンが９０度回転する。そのため、前記回転軸に平行な方向から見た場合、前記第１凹部と前記第２凹部との間の円弧に対応する円周角が概ね９０度になる。また、この構成によれば、前記回転軸に対して前記第２方向に離れた場所で前記ケース側曲面と前記ピン側曲面とが接触する。そのため、前記回転軸に平行な方向から見た前記第２凹部は、前記アース差込口用ピンの前記長手方向に沿った直線上に位置する。
【発明の効果】
【００２０】
本発明によれば、アース差込口用ピンの折り畳み状態や突出状態におけるガタツキを抑制できる電源プラグ変換アダプタを提供できる。
【図面の簡単な説明】
【００２１】
【図１】図１は、本実施形態に係る電源プラグ変換アダプタの一例を示す図であり、ＢＦタイプの電源プラグに使用する場合の外観を示す図である。
【図２】図２は、図１に示す電源プラグ変換アダプタをＢ３タイプの電源コンセントに使用する場合の外観を示す図である。
【図３】図３は、図１に示す電源プラグ変換アダプタをＢタイプ、Ｃタイプ又はＳＥタイプの電源コンセントに使用する場合の外観を示す。
【図４】図４は、図１に示す電源プラグ変換アダプタをＯ２タイプの電源コンセントに使用する場合の外観を示す図である。
【図５】図５は、図１に示す電源プラグ変換アダプタをＯタイプの電源コンセントに使用する場合の外観を示す図である。
【図６】図６は、図１に示す電源プラグ変換アダプタをＡタイプの電源コンセントに使用する場合の外観を示す図である。
【図７】図７は、第１の実施形態に係る電源プラグ変換アダプタの第１アダプタの一例を示す図であり、正面図及び背面図を示す。
【図８】図８は、図７に示す第１アダプタの第１ケースの一部が取り外された状態を示す平面図である。
【図９】図９は、図７に示す第１アダプタの第１ケースの一部が取り外された状態を示す斜視図である。
【図１０】図１０は、図７に示す第１アダプタにおけるアース差込口用ピンと弾性部材を示す図である。
【図１１】図１１は、図１０に示すアース差込口用ピンと弾性部材との係合状態の変化を説明するための図である。
【図１２】図１２は、第２の実施形態に係る電源プラグ変換アダプタの第１アダプタの一例を示す図であり、第１ケースの一部が取り外された状態の平面図である。
【図１３】図１３は、図１２と同じ状態の第１アダプタの斜視図である。
【図１４】図１４は、図１２に示す第１アダプタにおけるアース差込口用ピンと弾性部材を示す図である。
【図１５】図１５は、図１２に示すアース差込口用ピンと弾性部材との係合状態の変化を説明するための図である。
【発明を実施するための形態】
【００２２】
＜第１の実施形態＞
図１〜図６は、本実施形態に係る電源プラグ変換アダプタの一例を示す図である。図１は、ＢＦタイプの電源プラグに使用する場合の外観を示す。図２は、Ｂ３タイプの電源プラグに使用する場合の外観を示す。図３は、Ｂタイプ、Ｃタイプ又はＳＥタイプの電源プラグに使用する場合の外観を示す。図４は、Ｏ２タイプの電源コンセントに使用する場合の外観を示す。図５は、Ｏタイプの電源コンセントに使用する場合の外観を示す。図６は、Ａタイプの電源コンセントに使用する場合の外観を示す。
【００２３】
本実施形態に係る電源プラグ変換アダプタは、図１〜図６に示すように、第１アダプタ１及び第２アダプタ２を有する。第１アダプタ１及び第２アダプタ２は、それぞれ図示しない電源プラグを差し込み可能であり、差し込まれた電源プラグをそれぞれ別のタイプの電源プラグに変換する。第１アダプタ１及び第２アダプタ２は、電源コンセントのタイプに応じて、図１〜図２に示すように互いを組み合わせた状態で使用されるか、又は、図３〜図６に示すようにそれぞれ単独で使用される。
【００２４】
第２アダプタ２は、図３に示すように、電源プラグを差し込み可能な第２ソケット２２と、この第２ソケット２２と電気的に接続された第２プラグ２３と、第２ソケット２２及び第２プラグ２３が設けられた第２ケース２０とを含む。
【００２５】
図３に示すように、第２ソケット２２は、ユーザにより差し込まれる電源プラグの２つの電源ピンと導通する２つの第２コンタクト２２０−１及び２２０−２を含む。第２プラグ２３は、第２ソケット２２の２つの第２コンタクト２２０−１及び２２０−２とそれぞれ導通する２つの第２ピン２３０−１及び２３０−２を含む。
【００２６】
図３に示すように、第２ケース２０は、幅と奥行きに比べて高さが小さい概ね箱型の形状を持つ。第２ケース２０における奥行き方向の一方の面には、第２プラグ２３の２つの第２ピン２３０−１及び２３０−２が幅方向に並んで配置される。第２ケース２０における奥行き方向の他方の面には、２つの電源ピン挿入孔２０５−１及び２０５−２が幅方向に並んで配置される。電源ピン挿入孔２０５−１及び２０５−２は、それぞれ第２ケース２０の内部で第２コンタクト２２０−１及び２２０−２を収容する場所に電源ピンを挿入するための孔である。
【００２７】
図３に示すように、第２ケース２０における幅方向の両側の端部には、第２ピン２３０−１及び２３０−２の幅方向の間隔を調節するためのボタン２５がそれぞれ配置される。第２ピン２３０−１及び２３０−２には、両者の間隔を広げる方向へ付勢する力が働いており、この付勢力に抗して左右のボタン２５を押圧することにより、第２ピン２３０−１及び２３０−２の間隔を狭めることができる。
【００２８】
図３に示すように、第２ケース２０における高さ方向の一方の面には、第１アダプタ１の後述する第１ケース１０を装着するための縁部２０１が形成される。
【００２９】
第１アダプタ１は、図４〜図６に示すように、電源プラグを差し込み可能な第１ソケット１２と、この第１ソケット１２と電気的に接続された第１プラグ１３と、第１ソケット１２及び第１プラグ１３が設けられた第１ケース１０と、第１ケース１０に折り畳み自在に設けられた２つのアース差込口用ピン１４−１及び１４−２を含む。
【００３０】
図４〜図６に示すように、第１ソケット１２は、ユーザにより差し込まれる電源プラグの２つの電源ピンと導通する２つの第１コンタクト１２０−１及び１２０−２を含む。第１プラグ１３は、第１ソケット１２の２つの第１コンタクト１２０−１及び１２０−２とそれぞれ導通する２つの第１ピン１３０−１及び１３０−２を含む。
【００３１】
以下の説明では、第１アダプタ１を基準として、互いに直交する３つの方向（Ｘ方向、Ｙ方向、Ｚ方向）を規定する。Ｘ方向は、互いに逆向きのＸ１方向及びＸ２方向を含み、Ｙ方向は、互いに逆向きのＹ１方向及びＹ２方向を含み、Ｚ方向は、互いに逆向きのＺ１方向及びＺ２方向を含む。これらの方向は、第１アダプタ１における各部分の相対的な位置関係を規定するものであり、第１アダプタ１の使用時の姿勢を限定しない。
【００３２】
図４〜図６に示すように、第１ケース１０は、Ｘ方向及びＹ方向のサイズに比べてＺ方向のサイズが小さい概ね箱型の形状を持つ。第１ケース１０のＹ１側の面には、第１プラグ１３の２つの第１ピン１３０−１及び１３０−２がＸ方向に並んで配置される。第１ピン１３０−１は、第１ピン１３０−２に対してＸ１側に位置する。第１ケース１０のＹ２側の面には、２つの電源ピン挿入孔１０５−１及び１０５−２がＸ方向に並んで配置される。電源ピン挿入孔１０５−１は、電源ピン挿入孔１０５−２に対してＸ１側に位置する。電源ピン挿入孔１０５−１及び１０５−２は、それぞれ第１ケース１０の内部で第１コンタクト１２０−１及び１２０−２を収容する場所（図８に示すコンタクト収容室１０４−１、１０４−２）に電源ピンを挿入するための孔である。
【００３３】
図４〜図６に示すように、第１ケース１０は、折り畳まれた状態のアース差込口用ピン１４−１及び１４−２を収容するピン収容溝１１０−１及び１１０−２を含む。ピン収容溝１１０−１がアース差込口用ピン１４−１を収容し、ピン収容溝１１０−２がアース差込口用ピン１４−２を収容する。ピン収容溝１１０−１は第１ケース１０のＸ１側の端部に位置し、ピン収容溝１１０−２は第１ケース１０のＸ２側の端部に位置する。
【００３４】
アース差込口用ピン１４−１及び１４−２は、それぞれ第１ケース１０によって回転可能に支持されている。後述する図７及び図８に示すように、アース差込口用ピン１４−１は、Ｚ方向に平行な回転軸ＡＸ−１の周りで回転可能に支持され、アース差込口用ピン１４−２は、Ｚ方向に平行な回転軸ＡＸ−２の周りで回転可能に支持される。以下の説明では、回転軸ＡＸ−１及びＡＸ−２の各々を区別せずに「回転軸ＡＸ」と記す場合がある。
【００３５】
アース差込口用ピン１４−１及び１４−２の長手方向は、折り畳まれた状態においてＹ方向と平行になり（図１〜図２）、ピン収容溝１１０−１及び１１０−２から突出した状態においてＸ方向と平行になる（図３〜図６）。
【００３６】
第１ピン１３０−１及び１３０−２は、それぞれＹ方向に平行な回転軸の周りで回転可能となるように、第１ケース１０によって支持されている。図４〜図６の例において、第１ピン１３０−１及び１３０−２は、それぞれＹ方向に伸びた平板状の導体である。第１ピン１３０−１及び１３０−２は、ＯタイプやＯ２タイプの電源コンセントに差し込まれる場合、それぞれ平坦面がＺ方向に対して傾いた状態とされ（図４、図５）、Ａタイプの電源コンセントに差し込まれる場合、それぞれ平坦面がＺ方向に対して平行な状態とされる（図６）。
【００３７】
図４に示すように、第１アダプタ１は、第１ケース１０に折り畳み自在に設けられたアース差込口用ピン１５を更に含む。アース差込口用ピン１５は、第１ピン１３０−１及び１３０−２の中間に配置されており、Ｘ方向から見てＬ字状に曲がっている。アース差込口用ピン１５は、Ｘ方向に平行な回転軸の周りで回転可能となるように、第１ケース１０によって支持されている。
【００３８】
図１〜図２に示すように、第１アダプタ１の第１ケース１０は、第２アダプタ２の第２ケース２０に着脱可能である。図４〜図６に示すように、第１ケース１０におけるＺ１側の外面及びＺ２側の外面には、Ｘ方向に伸びた溝部１１３がそれぞれ形成されている。これらの溝部１１３は、いずれもＹ２側（第１ソケット１２側）の端面の近傍に形成されている。第１ケース１０のＹ２側（第１ソケット１２側）の端面を第２ケース２０の縁部２０１が形成された面に押し当ててスライドさせると、第２ケース２０の縁部２０１の突条が第１ケース１０の溝部１１３と嵌合し、図１〜図２に示すように、第１ケース１０が第２ケース２０に装着された状態となる。アース差込口用ピン１４−１及び１４−２は、第１ケース１０を第２ケース２０に装着した場合、第２アダプタ２の第２プラグ２３に付随するピンとして、コンセント（ＢＦタイプ、Ｂ３タイプなど）のアース差込口に挿入可能となる。
【００３９】
次に、第１アダプタ１の内部構造について、図７〜図１０を参照して説明する。
【００４０】
図７は、第１の実施形態に係る電源プラグ変換アダプタの第１アダプタ１の一例を示す図である。図７の上段はＹ１側から見た正面図を示し、図７の下段はＹ２側から見た背面図を示す。図７において、第１ケース１０の内部の部材が点線で表されている。図８は、図７に示す第１アダプタ１の第１ケース１０の一部（Ｚ１側を覆うケース部材１１１）が取り外された状態を示す平面図であり、図９は図８と同じ状態の第１アダプタ１の斜視図である。図１０は、アース差込口用ピン１４−１と弾性部材１６−１をそれぞれ抜き出して示した図である。図１０の上段はＹ１側から見た図を示し、図１０の下段はＺ１側から見た図を示す。
【００４１】
図７に示すように、第１ケース１０は、Ｚ１側を覆うケース部材１１１と、Ｚ２側を覆うケース部材１１２とを含む。第１ケース１０は、概ねＺ方向の中心付近でケース部材１１１とケース部材１１２とに分かれている。ケース部材１１１及び１１２は、例えば合成樹脂などで形成されており、超音波による溶着や接着材などによって互いに固定される。
【００４２】
図７〜図１０に示すように、第１アダプタ１は、Ｘ方向の中心におけるＹ−Ｚ平面に対して概ね面対称な形状を持っている。第１アダプタ１において対をなす対称な構成要素のうち、Ｘ１側に位置する一方の構成要素の符号には「−１」が付されており、Ｘ２側に位置する他方の構成要素の符号には「−２」が付されている。以下では、主としてＸ１側に位置する一方の構成要素を説明することとし、Ｘ２側に位置する他方の構成要素については説明を割愛する場合がある。なお、Ｘ１側に位置する一方の構成要素についての説明は、符号に付された「−１」を「−２」と読み替えることにより、Ｘ２側に位置する他方の構成要素についての説明となる。
【００４３】
図８に示すように、第１ピン１３０−１は、第１ケース１０によって回転可能に支持された基部１３１−１のＹ１側に固定される。基部１３１−１は、ケース部材１１１及び１１２によってＺ方向の両側から挟まれており、Ｙ方向に平行な回転軸の周りで回転可能となっている。基部１３１−１のＹ２側には、第１ピン１３０−１と導通した電極１３２−１が配置される。電極１３２−１は第１コンタクト１２０−１の電極１２３−１と接触する。電極１３２−１と電極１２３−１とが接触することにより、第１ピン１３０−１と第１コンタクト１２０−１とが電気的に接続される。
【００４４】
図７に示すように、第１ケース１０は、アース差込口用ピン１４−１及び１４−２を支持する支持部１０１−１及び１０１−２を含む。支持部１０１−１は、アース差込口用ピン１４−１の長手方向の端部１４１（図９、図１０）においてアース差込口用ピン１４−１ピンを回転可能に支持する。支持部１０１−１は、図７、図１０に示すように、Ｚ方向に平行な回転軸ＡＸ−１の周りでアース差込口用ピン１４−１を回転可能に支持する。図７の例において、支持部１０１−１は、軸受部１０２及び１０３を含む。図１０に示すように、アース差込口用ピン１４−１の端部１４１には、Ｚ方向の両側に突出した２つの円柱状の軸部１４２及び１４３が形成される。軸受部１０２及び１０３は、回転軸ＡＸ−１に沿ってＺ方向の両側に凹んだ円柱状の篏合孔である。軸部１４２と軸受部１０２とを篏合し、軸部１４３と軸受部１０３とを篏合することにより、アース差込口用ピン１４−１は回転軸ＡＸ−１の周りで回転可能となる。
【００４５】
図８及び図９に示すように、第１ケース１０は、第１コンタクト１２０−１及び１２０−２を収容するコンタクト収容室１０４−１及び１０４−２と、コンタクト収容室１０４−１及び１０４−２にそれぞれ電源ピンを挿入するための電源ピン挿入孔１０５−１及び１０５−２を含む。コンタクト収容室１０４−１は、ピン収容溝１１０−１のＸ２側に位置し、弾性部材１６−１と壁１０６−１とによってピン収容溝１１０−１から隔てられている。コンタクト収容室１０４−２は、ピン収容溝１１０−２のＸ１側に位置し、弾性部材１６−２と壁１０６−２とによってピン収容溝１１０−２から隔てられている。
【００４６】
図１０に示すように、アース差込口用ピン１４−１は、支持部１０１−１に支持された側の端部１４１にピン側曲面１４６を持つ。ピン側曲面１４６は、支持部１０１−１の回転軸ＡＸ−１に平行なＺ方向から見て、回転軸ＡＸ−１を中心とする円弧状に湾曲している。ピン側曲面１４６には、第１凹部１４４及び第２凹部１４５が設けられている。
【００４７】
図７〜図９に示すように、第１ケース１０は、弾性部材１６−１及び１６−２を含む。弾性部材１６−１は、アース差込口用ピン１４−１のピン側曲面１４６を弾性力により押圧し、弾性部材１６−２はアース差込口用ピン１４−２のピン側曲面１４６を弾性力により押圧する。第１ケース１０において、弾性部材１６−１はコンタクト収容室１０４−１とピン収容溝１１０−１とを仕切る壁の一部を形成し、弾性部材１６−２はコンタクト収容室１０４−２とピン収容溝１１０−２とを仕切る壁の一部を形成する。
【００４８】
弾性部材１６−１は、アース差込口用ピン１４−１がピン収容溝１１０−１に収容された状態（収容状態）において第１凹部１４４と係合し、アース差込口用ピン１４−１がピン収容溝１１０−１から突出した状態（突出状態）において第２凹部１４５と係合する。図８に示すように、アース差込口用ピン１４−１の長手方向は、収容状態においてＹ方向（第１方向ともいう）と平行になり、突出状態においてＸ方向（第２方向ともいう）と平行になる。アース差込口用ピン１４−１は、収容状態と突出状態との間で９０度回転する。
【００４９】
図１０に示すように、弾性部材１６−１は弾性変形部１６０を含む。弾性変形部１６０は、一方の端部１６３が第１ケース１０に固定されており、一方の端部１６３から離れた他方の端部１６４が第１ケース１０に対して変位可能となっている。弾性変形部１６０は、この一方の端部１６３と他方の端部１６４との間において、回転軸ＡＸ−１に向かって突き出たケース側曲面１６２を持つ。ケース側曲面１６２は、収容状態において第１凹部１４４と係合し、突出状態において第２凹部１４５と係合する。収容状態と突出状態との中間の状態にあるとき、ケース側曲面１６２はピン側曲面１４６の中間部分（第１凹部１４４と第２凹部１４５との間の部分）に当接する。中間の状態においてアース差込口用ピン１４−１が回転すると、ケース側曲面１６２はピン側曲面１４６の中間部分を摺動しながら、第１凹部１４４又は第２凹部１４５に向かって移動する。
【００５０】
図１０の例において、弾性部材１６−１は、２つのスリット１６７及び１６８を持った板部材１６１を含む。２つのスリット１６７及び１６８は、板部材１６１における他方の端部１６４の縁から一方の端部１６３に向かって延びている。弾性変形部１６０は、板部材１６１において２つのスリット１６７及び１６８に挟まれた部分に形成される。弾性変形部１６０は、アース差込口用ピン１４−１のピン側曲面１４６と対向する平面１６５上に凸部１６９を持つ。この凸部１６９の表面が、ケース側曲面１６２としてピン側曲面１４６と接触する。凸部１６９のケース側曲面１６２は、例えば半球面状に盛り上がっており、半球面状に落ち込んだ第１凹部１４４、第２凹部１４５とそれぞれ係合する。
【００５１】
図８、図１０の例において、板部材１６１の平面１６５及び１６６は回転軸ＡＸ−１（Ｚ方向）に対して平行である。この平面１６５及び１６６は、回転軸ＡＸ−１に平行なＺ方向から見て、Ｙ方向（第１方向）及びＸ方向（第２方向）に対して４５度傾いている。図８に示すように、弾性部材１６−１の板部材１６１は、Ｙ１側からＹ２側へ向かう方向に対してＸ１側に４５度傾いており、弾性部材１６−２の板部材１６１は、Ｙ１側からＹ２側へ向かう方向に対してＸ２側に４５度傾いている。
【００５２】
図１０に示すように、弾性変形部１６０の凸部１６９は、回転軸ＡＸ−１に平行なＺ方向から見て、回転軸ＡＸ−１を通る法線Ｎと交わる位置に設けられている。法線Ｎは、板部材１６１の平面１６５に垂直な直線である。
【００５３】
図８に示すように、ピン収容溝１１０−１とコンタクト収容室１０４−１とがＸ方向（第２方向）に隣接しており、電源ピン挿入孔１０５−１と第１コンタクト１２０−１とがＹ方向（第１方向）において離間している。弾性部材１６−１の板部材１６１の平面１６６は、回転軸ＡＸ−１に平行なＺ方向から見て、Ｙ方向（第１方向）における電源ピン挿入孔１０５−１との距離が近くなるほどＸ方向（第２方向）における電源ピン挿入孔１０５−１との距離が離れている。
【００５４】
図７、図１０に示すように、弾性部材１６−１の板部材１６１における２つのスリット１６７及び１６８は、回転軸ＡＸ−１に垂直な仮想平面ＶＰに対してそれぞれ平行である。図７、図８に示すように、弾性部材１６−１の弾性変形部１６０における一方の端部１６３（第１ケース１０に固定された側の端部）は、他方の端部１６４に比べて、Ｙ方向（第１方向）における電源ピン挿入孔１０５−１との距離が近い。
【００５５】
２つの第１コンタクト１２０−１及び１２０−２の各々は、導体板１２１及び１２２を含む。導体板１２１及び１２２は、電源ピン挿入孔１０５−１、１０５−２から挿入された電源ピンを回転軸ＡＸ−１、ＡＸ−２に平行なＺ方向において挟み込み、電源ピンとの電気的な接触状態を保持する。導体板１２１及び１２２は、図７に示すように、仮想平面ＶＰに関して互いに対称な形状を持つ。また、弾性部材１６−１の板部材１６１における２つのスリット１６７及び１６８は、仮想平面ＶＰに関して対称に位置する。
【００５６】
図１１は、図１０に示すアース差込口用ピン１４−１と弾性部材１６−１との係合状態の変化を説明するための図である。
【００５７】
図１１の上段に示すように、アース差込口用ピン１４−１がピン収容溝１１０−１からＸ方向に突出した突出状態では、アース差込口用ピン１４−１の長手方向がＸ方向と平行になり、弾性部材１６−１の凸部１６９（ケース側曲面１６２）とアース差込口用ピン１４−１の第２凹部１４５とが係合する。このとき、板部材１６１の弾性力によって凸部１６９（ケース側曲面１６２）が第２凹部１４５に押し付けられるため、凸部１６９（ケース側曲面１６２）と第２凹部１４５との係合が解除され難くなるとともに、回転軸ＡＸ−１に対するアース差込口用ピン１４−１のガタツキが抑制され易くなる。
【００５８】
図１１の中段に示すように、突出状態と収容状態との中間の状態では、ピン側曲面１４６における第１凹部１４４と第２凹部１４５との中間の部分に弾性部材１６−１の凸部１６９（ケース側曲面１６２）が当接する。このときも、板部材１６１の弾性力によって凸部１６９（ケース側曲面１６２）がピン側曲面１４６に押し付けられており、アース差込口用ピン１４−１が回転すると、凸部１６９（ケース側曲面１６２）がピン側曲面１４６を摺動する。
【００５９】
図１１の下段に示すように、アース差込口用ピン１４−１がピン収容溝１１０−１に収容された突出状態では、アース差込口用ピン１４−１の長手方向がＹ方向と平行になり、弾性部材１６−１の凸部１６９（ケース側曲面１６２）とアース差込口用ピン１４−１の第１凹部１４４とが係合する。このとき、板部材１６１の弾性力によって凸部１６９（ケース側曲面１６２）が第１凹部１４４に押し付けられるため、凸部１６９（ケース側曲面１６２）と第１凹部１４４との係合が解除され難くなるとともに、回転軸ＡＸ−１に対するアース差込口用ピン１４−１のガタツキが抑制され易くなる。
【００６０】
以上説明したように、本実施形態に係る電源プラグ変換アダプタによれば、アース差込口用ピン１４−１ピンは、その長手方向の端部１４１において第１ケース１０の支持部１０１−１により回転可能に支持される（図７）。支持部１０１−１に支持された側のアース差込口用ピン１４−１の端部１４１には、支持部１０１−１の回転軸ＡＸ−１に平行なＺ方向から見て回転軸ＡＸ−１を中心とする円弧状に湾曲したピン側曲面１４６が設けられる（図１０）。ピン側曲面１４６は、第１ケース１０の弾性部材１６−１により、その弾性力で押圧される（図１１）。アース差込口用ピン１４−１がピン収容溝１１０−１に収容された収容状態において、ピン側曲面１４６の第１凹部１４４と弾性部材１６−１とが係合し、アース差込口用ピン１４−１ピンがピン収容溝１１０−１から突出した突出状態において、ピン側曲面１４６の第２凹部１４５と弾性部材１６−１とが係合する（図１１）。従って、収容状態及び突出状態の各々において、アース差込口用ピン１４−１のガタツキを効果的に抑制できる。
【００６１】
本実施形態に係る電源プラグ変換アダプタによれば、第１ケース１０においてピン収容溝１１０−１とコンタクト収容室１０４−１とを仕切る壁の一部が弾性部材１６−１により形成されるため（図８、図９）、壁とは独立に弾性部材１６−１を設ける場合に比べてサイズの小型化を図り易くなる。
【００６２】
本実施形態に係る電源プラグ変換アダプタによれば、弾性変形部１６０が第１ケース１０に対して変位可能であるため（図７、図１０）、回転軸ＡＸ−１に向かって突き出たケース側曲面１６２がピン側曲面１４６に対して変位可能となる。これにより、第１凹部１４４及び凸部１６９（ケース側曲面１６２）が係合する収容状態と、第２凹部１４５及び凸部１６９（ケース側曲面１６２）が係合する突出状態とを円滑に切り替えることが可能となる。
【００６３】
本実施形態に係る電源プラグ変換アダプタによれば、弾性部材１６−１の板部材１６１において２つのスリット１６７及び１６８に挟まれた部分に弾性変形部１６０が形成され（図１０）、弾性変形部１６０に設けられた凸部１６９の表面がケース側曲面１６２としてピン側曲面１４６と接触する（図１１）。これにより、２つのスリット１６７及び１６８の長さを適切に設定することによって、弾性変形部１６０に適切な弾性力を持たせることが可能となる。また、ピン収容溝１１０−１とコンタクト収容室１０４−１とを板部材１６１によって有効に仕切ることが可能になる（図８、図９）。
【００６４】
本実施形態に係る電源プラグ変換アダプタによれば、Ｙ方向（第１方向）に対して長手方向が平行になる収容状態と、Ｘ方向（第２方向）に対して長手方向が平行になる突出状態との間で、アース差込口用ピン１４−１が９０度回転する（図１０、図１１）。そのため、回転軸ＡＸ−１に平行なＺ方向から見た場合、第１凹部１４４と第２凹部１４５との間の円弧に対応する円周角が概ね９０度になる。また、板部材１６１の平面１６５がＹ方向（第１方向）及びＸ方向（第２方向）に対してそれぞれ４５度傾いているとともに、板部材１６１の平面１６５に垂直な法線Ｎであって、回転軸ＡＸ−１を通る法線Ｎと交わる位置に弾性変形部１６０の凸部１６９が設けられている。そのため、回転軸ＡＸ−１に平行なＺ方向から見た第１凹部１４４及び第２凹部１４５は、アース差込口用ピン１４−１の長手方向に沿った直線に対して線対称に位置する。これにより、アース差込口用ピン１４−１は、長手方向及び回転軸ＡＸ−１に沿った平面に対して面対称な形状にすることが可能になる。アース差込口用ピン１４−１がこのように面対称な形状になることで、回転軸ＡＸ−１の向きを反転させても同一の形状になるため、組み立て作業が容易になる。
【００６５】
本実施形態に係る電源プラグ変換アダプタによれば、弾性部材１６−１の板部材１６１の平面１６６（図１０）は、回転軸ＡＸ−１に平行なＺ方向から見て、Ｙ方向（第１方向）における電源ピン挿入孔１０５−１との距離が近くなるほどＸ方向（第２方向）における電源ピン挿入孔１０５−１との距離が離れている（図８）。これにより、電源ピン挿入孔１０５−１へ電源ピンを挿入する長さが短い場合、板部材１６１の平面１６６に電源ピンの先端が届き難くなる。そのため、外部から挿入された電源ピンによる不要な力が板部材１６１に作用することを回避し易くなる。
【００６６】
本実施形態に係る電源プラグ変換アダプタによれば、板部材１６１−１の板部材１６１に形成される２つのスリット１６７及び１６８は、回転軸ＡＸ−１に垂直な仮想平面ＶＰに対してそれぞれ平行であり（図７）、弾性変形部１６０における一方の端部１６３（第１ケース１０に固定された側の端部）が他方の端部１６４に比べて、Ｙ方向（第１方向）における電源ピン挿入孔１０５−１との距離が近い（図８）。これにより、電源ピン挿入孔１０５−１へ電源ピンを挿入する長さが短い場合、弾性変形部１６０における一方の端部１６３側に電源ピンの先端が届き難くなる。そのため、板部材１６１において弾性変形が生じ難い部分に対して、外部から挿入された電源ピンによる不要な力が作用することを回避し易くなる。
【００６７】
本実施形態に係る電源プラグ変換アダプタによれば、電源ピン挿入孔１０５−１から挿入された電源ピンを回転軸ＡＸ−１に平行なＺ方向から挟み込む第１コンタクト１２０−１の２つの導体板１２１及び１２２が、仮想平面ＶＰに関して互いに対称な形状を持ち（図７）、板部材１６１の２つのスリット１６７及び１６８が、仮想平面ＶＰに関して対称に位置する。これにより、回転軸ＡＸ−１に平行なＺ方向において２つの導体板１２１及び１２２により挟み込まれた状態の電源ピンの先端が、板部材１６１における弾性変形部１６０以外の部分に届き難くなる。そのため、板部材１６１において弾性変形が生じ難い部分に対して、外部から挿入された電源ピンによる不要な力が作用することを回避し易くなる。
【００６８】
＜第２の実施形態＞
次に、本発明の第２の実施形態について説明する。第２の実施形態に係る電源プラグ変換アダプタは、上述した第１の実施形態に係る電源プラグ変換アダプタにおけるアース差込口用ピン１４−１及び１４−２と、弾性部材１６−１及び１６−２とを主に変更したものであり、他の構成は概ね第１の実施形態に係る電源プラグ変換アダプタと同様である。
【００６９】
図１２は、第２の実施形態に係る電源プラグ変換アダプタの第１アダプタ１Ａの一例を示す図であり、第１ケース１０Ａの一部（Ｚ１側を覆うケース部材１１１Ａ）が取り外された状態を示す平面図である。図１３は、図１２と同じ状態の第１アダプタ１Ａの斜視図である。図１４は、アース差込口用ピン１４Ａ−１と弾性部材１６Ａ−１をそれぞれ抜き出して示した図である。図１４の上段はＹ１側から見た図を示し、図１４の中段はＸ１側から見た図を示し、図１４の下段はＺ１側から見た図を示す。
【００７０】
第１アダプタ１Ａの各構成要素には、既に説明した第１アダプタ１の対応する構成要素と同じ数字の符号を付与しており、その符号の末尾（ハイフンを付された符号の場合は、ハイフンより前の数字の末尾）に「Ａ」を付加している。以下では、アース差込口用ピン１４Ａ−１及び弾性部材１６Ａ−１を中心に説明し、他の構成要素については説明を割愛する。なお、アース差込口用ピン１４Ａ−１及び弾性部材１６Ａ−１についての説明は、符号に付された「−１」を「−２」と読み替えることにより、アース差込口用ピン１４Ａ−２及び弾性部材１６Ａ−２についての説明となる。
【００７１】
第１アダプタ１Ａにおいても、既に説明した第１アダプタ１と同様に、アース差込口用ピン１４Ａ−１が回転軸ＡＸ−１の周りで回転可能に支持され、アース差込口用ピン１４Ａ−２が回転軸ＡＸ−２の周りで回転可能に支持される。
【００７２】
図１２及び図１３に示すように、第１ケース１０Ａは、第１コンタクト１２０Ａ−１及び１２０Ａ−２を収容するコンタクト収容室１０４Ａ−１及び１０４Ａ−２と、コンタクト収容室１０４Ａ−１及び１０４Ａ−２にそれぞれ電源ピンを挿入するための電源ピン挿入孔１０５Ａ−１及び１０５Ａ−２を含む。コンタクト収容室１０４Ａ−１は、ピン収容溝１１０Ａ−１のＸ２側に位置し、弾性部材１６Ａ−１と壁１０６Ａ−１とによってピン収容溝１１０Ａ−１から隔てられている。コンタクト収容室１０４Ａ−２は、ピン収容溝１１０Ａ−２のＸ１側に位置し、弾性部材１６Ａ−２と壁１０６Ａ−２とによってピン収容溝１１０Ａ−２から隔てられている。
【００７３】
図１４に示すように、アース差込口用ピン１４Ａ−１は、支持部１０１Ａ−１に支持された側の端部１４１Ａにピン側曲面１４６Ａを持つ。ピン側曲面１４６Ａは、回転軸ＡＸ−１に平行なＺ方向から見て、回転軸ＡＸ−１を中心とする円弧状に湾曲している。ピン側曲面１４６Ａには、２つの第１凹部１４４Ａと第２凹部１４５とが設けられている。
【００７４】
図１２及び図１３に示すように、第１ケース１０Ａは、弾性部材１６Ａ−１及び１６Ａ−２を含む。弾性部材１６Ａ−１は、アース差込口用ピン１４Ａ−１のピン側曲面１４６Ａを弾性力により押圧し、弾性部材１６Ａ−２はアース差込口用ピン１４Ａ−２のピン側曲面１４６Ａを弾性力により押圧する。第１ケース１０Ａにおいて、弾性部材１６Ａ−１はコンタクト収容室１０４Ａ−１とピン収容溝１１０Ａ−１とを仕切る壁の一部を形成し、弾性部材１６Ａ−２はコンタクト収容室１０４Ａ−２とピン収容溝１１０Ａ−２とを仕切る壁の一部を形成する。
【００７５】
弾性部材１６Ａ−１は、アース差込口用ピン１４Ａ−１がピン収容溝１１０Ａ−１に収容された収容状態において第１凹部１４４Ａと係合し、アース差込口用ピン１４Ａ−１がピン収容溝１１０Ａ−１から突出した突出状態において第２凹部１４５Ａと係合する。図１２に示すように、アース差込口用ピン１４Ａ−１の長手方向は、収容状態においてＹ方向（第１方向）と平行になり、突出状態においてＸ方向（第２方向）と平行になる。アース差込口用ピン１４Ａ−１は、収容状態と突出状態との間で９０度回転する。
【００７６】
図１４に示すように、弾性部材１６Ａ−１は弾性変形部１６０Ａを含む。弾性変形部１６０Ａは、一方の端部１６３Ａが第１ケース１０Ａに固定されており、一方の端部１６３Ａから離れた他方の端部１６４Ａが第１ケース１０Ａに対して変位可能となっている。弾性変形部１６０Ａは、この一方の端部１６３Ａと他方の端部１６４Ａとの間において、回転軸ＡＸ−１に向かって突き出たケース側曲面１６２Ａを持つ。ケース側曲面１６２Ａは、収容状態において第１凹部１４４Ａと係合し、突出状態において第２凹部１４５Ａと係合する。収容状態と突出状態との中間の状態にあるとき、ケース側曲面１６２Ａはピン側曲面１４６Ａの中間部分（第１凹部１４４Ａと第２凹部１４５Ａとの間の部分）に当接する。中間の状態においてアース差込口用ピン１４Ａ−１が回転すると、ケース側曲面１６２Ａはピン側曲面１４６Ａの中間部分を摺動しながら、第１凹部１４４Ａ又は第２凹部１４５Ａに向かって移動する。
【００７７】
図１４に示すように、弾性部材１６Ａ−１の弾性変形部１６０Ａは、第１ケース１０Ａのケース部材１１２Ａに固定された一方の端部１６３Ａから他方の端部１６４Ａに向かって回転軸ＡＸ−１と平行に伸びている。弾性変形部１６０Ａのケース側曲面１６２Ａは、回転軸ＡＸ−１に平行なＺ方向から見て、円弧状に湾曲した曲面である。図１４の例において、弾性変形部１６０Ａは、Ｚ方向に延びた円筒をＹ−Ｚ平面に沿って半分に割った半円筒状の形状を持つ。第１凹部１４４Ａ及び第２凹部１４５Ａは、この弾性変形部１６０Ａのケース側曲面１６２Ａと係合するように、回転軸ＡＸ−１に平行なＺ方向から見て円弧状に湾曲している。
【００７８】
図１４に示すように、第１ケース１０Ａは、弾性部材１６Ａ−１の弾性変形部１６０Ａの変位を規制する規制部材１０７−１を含む。規制部材１０７−１は、回転軸ＡＸ−１から離れる方向へ変位した弾性変形部１６０Ａの他方の端部１６４Ａと当接することにより当該変位を規制する。図１４の例において、規制部材１０７−１は、弾性変形部１６０Ａの他方の端部１６４Ａを間に挟んで回転軸ＡＸ−１のＸ方向の反対側に位置する。規制部材１０７−１は、第１ケース１０Ａのケース部材１１１Ａの内面から内側に向かって突出した円柱状の凸部であり、半円筒状の形状を持つ弾性変形部１６０Ａの端部１６４Ａの内周面に当接する。
【００７９】
図１４に示すように、弾性部材１６Ａ−１は、壁部１７０を含む。壁部１７０は、弾性変形部１６０Ａに対してコンタクト収容室１０４Ａ−１側（回転軸ＡＸ−１に対してＸ方向の反対の側）に位置し、回転軸ＡＸ−１と平行に伸びている。壁部１７０は、第１ケース１０Ａにおいてピン収容溝１１０Ａ−１とコンタクト収容室１０４Ａ−１とを仕切る壁の一部を形成する。壁部１７０の長手方向の一端１７１が第１ケース１０Ａのケース部材１１２Ａに固定され、壁部１７０の長手方向の他端１７２が規制部材１０７−１と当接可能である。規制部材１０７−１は、弾性変形部１６０Ａに近づく方向へ変位した壁部１７０の長手方向の他端１７２と当接することにより当該変位を規制する。図１４の例において、壁部１７０は、Ｚ方向に延びた円筒をＹ−Ｚ平面に沿って半分に割った半円筒状の形状を持つ。規制部材１０７−１は、半円筒状の形状を持つ壁部１７０の他端１７２の内周面に当接する。
【００８０】
図１２及び図１３に示すように、アース差込口用ピン１４Ａ−１の長手方向は、収容状態においてＹ方向（第１方向）と平行になり、突出状態においてＸ方向（第２方向）と平行になる。弾性部材１６Ａ−１の弾性変形部１６０Ａのケース側曲面１６２Ａは、回転軸ＡＸ−１に対してＸ方向（第２方向）に離れた場所でケース側曲面１６２Ａと接触する。
【００８１】
図１５は、図１４に示すアース差込口用ピン１４Ａ−１と弾性部材１６Ａ−１との係合状態の変化を説明するための図である。
【００８２】
図１５の上段に示すように、アース差込口用ピン１４Ａ−１がピン収容溝１１０Ａ−１からＸ方向に突出した突出状態では、アース差込口用ピン１４Ａ−１の長手方向がＸ方向と平行になり、弾性部材１６Ａ−１のケース側曲面１６２Ａとアース差込口用ピン１４Ａ−１の第２凹部１４５Ａとが係合する。このとき、弾性変形部１６０Ａの弾性力によってケース側曲面１６２Ａが第２凹部１４５Ａに押し付けられるため、ケース側曲面１６２Ａと第２凹部１４５Ａとの係合が解除され難くなるとともに、回転軸ＡＸ−１に対するアース差込口用ピン１４Ａ−１のガタツキが抑制され易くなる。
【００８３】
図１５の中段に示すように、突出状態と収容状態との中間の状態では、ピン側曲面１４６Ａにおける第１凹部１４４Ａと第２凹部１４５Ａとの中間の部分に弾性部材１６Ａ−１のケース側曲面１６２Ａが当接する。このときも、弾性変形部１６０Ａの弾性力によってケース側曲面１６２Ａがピン側曲面１４６Ａに押し付けられており、アース差込口用ピン１４Ａ−１が回転すると、ケース側曲面１６２Ａがピン側曲面１４６Ａを摺動する。
【００８４】
図１５の下段に示すように、アース差込口用ピン１４Ａ−１がピン収容溝１１０Ａ−１に収容された突出状態では、アース差込口用ピン１４Ａ−１の長手方向がＹ方向と平行になり、弾性部材１６Ａ−１のケース側曲面１６２Ａとアース差込口用ピン１４Ａ−１の第１凹部１４４Ａとが係合する。このとき、弾性変形部１６０Ａの弾性力によってケース側曲面１６２Ａが第１凹部１４４Ａに押し付けられるため、ケース側曲面１６２Ａと第１凹部１４４Ａとの係合が解除され難くなるとともに、回転軸ＡＸ−１に対するアース差込口用ピン１４Ａ−１のガタツキが抑制され易くなる。
【００８５】
以上説明したように、本実施形態に係る電源プラグ変換アダプタによれば、弾性変形部１６０Ａが回転軸ＡＸと平行なＺ方向に伸びているため（図１０）、回転軸ＡＸに平行な方向から見た弾性変形部１６０Ａのサイズを小型化し易くなる。
【００８６】
本実施形態に係る電源プラグ変換アダプタによれば、弾性部材１６−１の弾性変形部１６０Ａにおける他方の端部１６４Ａ（第１ケース１０Ａに固定されていない側の端部）の変位であって、回転軸ＡＸ−１から離れる方向への変位が規制部材１０７−１により規制される。これにより、弾性変形部１６０Ａにおける一方の端部１６３Ａと他方の端部１６４Ａとの間で弾性変形部１６０Ａが湾曲するように変形するため、大きな弾性力が得られ易くなる。
【００８７】
本実施形態に係る電源プラグ変換アダプタによれば、回転軸ＡＸ−１と平行に延びた壁部１７０が弾性部材１６Ａ−１の弾性変形部１６０Ａに対してコンタクト収容室１０４Ａ−１側に位置している。これにより、コンタクト収容室側から電源ピンなどが弾性変形部１６０Ａに直接当たり難くなる。
また、壁部１７０の他端１７２（第１ケース１０Ａに固定されていない側の端部）が弾性変形部１６０Ａに近づく方向へ変位した場合、他端１７２が規制部材１０７−１に当接して当該変位が規制される。これにより、コンタクト収容室１０４Ａ−１側から電源ピンなどが壁部１７０に当たった場合、壁部１７０の一端１７１（第１ケース１０Ａに固定された側の端部）と他端１７２との間で壁部１７０が湾曲するように変形し、電源ピンなどによる押圧力を受け止めるため、当該押圧力が弾性変形部１６０Ａに作用することによる弾性変形部１６０Ａの変形を抑制できる。
【００８８】
本実施形態に係る電源プラグ変換アダプタによれば、Ｙ方向（第１方向）に対して長手方向が平行になる収容状態と、Ｘ方向（第２方向）に対して長手方向が平行になる突出状態との間で、アース差込口用ピン１４Ａ−１ピンが９０度回転する。そのため、回転軸ＡＸ−１に平行なＺ方向から見た場合、第１凹部１４４Ａと第２凹部１４５Ａとの間の円弧に対応する円周角が概ね９０度になる。また、回転軸ＡＸ−１に対してＸ方向（第２方向）に離れた場所でケース側曲面１６２Ａとピン側曲面１４６Ａとが接触する。そのため、回転軸ＡＸ−１に平行なＺ方向から見た第２凹部１４５Ａは、アース差込口用ピン１４Ａ−１の長手方向に沿った直線上に位置する。これにより、アース差込口用ピン１４Ａ−１は、長手方向及び回転軸ＡＸ−１に沿った平面に対して面対称な形状にすることが可能になる。アース差込口用ピン１４Ａ−１がこのように面対称な形状になることで、回転軸ＡＸ−１の向きを反転させても同一の形状になるため、組み立て作業が容易になる。
【００８９】
なお、本発明は上述した実施形態にのみ限定されるものではなく、種々のバリエーションを含んでいる。当業者は、本発明の技術的範囲またはその均等の範囲内において、上述した実施形態の構成要素に関し、様々な変更、コンビネーション、サブコンビネーション、並びに代替を行ってもよい。
【符号の説明】
【００９０】
１，１Ａ…第１アダプタ、１０，１０Ａ…第１ケース、１０１−１，１０１−１，１０１Ａ−１，１０１Ａ−２…支持部、１０２，１０３…軸受部、１０４−１，１０４−２，１０４Ａ−１，１０４Ａ−２…コンタクト収容室、１０５−１，１０５−２，１０５Ａ−１，１０５Ａ−２…電源ピン挿入孔、１０６−１，１０６−２，１０６Ａ−１，１０６Ａ−２…壁、１０７−１，１０７−２…規制部材、１１０−１，１１０−２，１１０Ａ−１，１１０Ａ−２…ピン収容溝、１１１，１１２，１１１Ａ，１１２Ａ…ケース部材、１１３…溝部、１２，１２Ａ…第１ソケット、１２０−１，１２０−２，１２０Ａ−１，１２０Ａ−２…第１コンタクト、１２１、１２２、１２１Ａ、１２２Ａ…導体板、１２３−１，１２３−２，１２３Ａ−１，１２３Ａ−２…電極、１３，１３Ａ…第１プラグ、１３０−１，１３０−２，１３０Ａ−１，１３０Ａ−２…第１ピン、１３１−１，１３１−２，１３１Ａ−１，１３１Ａ−２…基部、１３２−１，１３２−２，１３２Ａ−１，１３２Ａ−２…電極、１４−１，１４−２，１４Ａ−１，１４Ａ−２…アース差込口用ピン、１４０，１４１，１４０Ａ，１４１Ａ…端部、１４２，１４３，１４２Ａ，１４３Ａ…軸部、１４４，１４４Ａ…第１凹部、１４５，１４５Ａ…第２凹部、１４６，１４６Ａ…ピン側曲面、１５…アース差込口用ピン、１６−１，１６−２，１６Ａ−１，１６Ａ−２…弾性部材、１６０，１６０Ａ…弾性変形部、１６１…板部材、１６５，１６６…平面、１６７，１６８…スリット、１６２，１６２Ａ…ケース側曲面、１６３，１６４，１６３Ａ，１６４Ａ…端部、１６９…凸部、１７０…壁部、１７１…一端部、１７２…他部、２…第２アダプタ、２０…第２ケース、２０１…縁部、２０５…電源ピン挿入孔、２２…第２ソケット、２２０−１，２２０−２…第２コンタクト、２３…第２プラグ、２３０−１，２３０−２…第２ピン、２５…ボタン、ＡＸ−１，ＡＸ−２…回転軸、Ｎ…法線、ＶＰ…仮想平面
【要約】
【課題】アース差込口用ピンの折り畳み状態や突出状態におけるガタツキを抑制できる電源プラグ変換アダプタを提供する。
【解決手段】アース差込口用ピン１４−１は、支持部１０１−１に支持された側の端部において、支持部１０１−１の回転軸ＡＸ−１に平行な方向から見て回転軸ＡＸ−１を中心とする円弧状に湾曲したピン側曲面１４６を持つ。ピン側曲面１４６には、第１凹部１４４及び第２凹部１４５が設けられている。弾性部材１６−１は、ピン側曲面１４６を弾性力により押圧し、アース差込口用ピン１４−１がピン収容溝１１０−１に収容された収容状態において第１凹部１４４と係合し、アース差込口用ピン１４がピン収容溝１１０−１から突出した突出状態において第２凹部１４５と係合する。
【選択図】図１０【図１】
0006739827.tif 000002
【図２】
0006739827.tif 000003
【図３】
0006739827.tif 000004
【図４】
0006739827.tif 000005
【図５】
0006739827.tif 000006
【図６】
0006739827.tif 000007
【図７】
0006739827.tif 000008
【図８】
0006739827.tif 000009
【図９】
0006739827.tif 000010
【図１０】
0006739827.tif 000011
【図１１】
0006739827.tif 000012
【図１２】
0006739827.tif 000013
【図１３】
0006739827.tif 000014
【図１４】
0006739827.tif 000015
【図１５】
0006739827.tif 000016